(57)【要約】【課題】電気設備、特に配電システムの合理的かつ簡単な構成を可能にする電気開閉器を提供する。【解決手段】開閉器（１，１’）、特に列状組込式機器の形で構成さている開閉器（１，１’）が、ハウジング（２）と、このハウジング（２）内に収納された次の構成要素とを含む。  電流回路を遮断するためのスイッチユニット（２０）、  スイッチユニット（２０）に負荷電流を導入するための供給側接続部（１３）であって、電流母線バー（１６）の接触のための第１の連結用接触子（１５）を含む供給側接続部（１３）、  負荷電流回路（１８ｂ）の給電線（１８ｃ）とスイッチユニット（２０）との接触のための負荷側接続部（１８）、  負荷電流回路（１８ｂ）の帰線（３６ａ）の接触のための接続端子（３７）と、接続端子（３７）にハウジング内で接続されていて第２電流母線バー（４０）の接触のために用いられる第２の連結用接触子（３８）とを含む帰路側接続部（３６）。【選択図】図１
2010530117.tif 000002
【特許請求の範囲】
【請求項１】
列状組込式機器として使用される電気開閉器であって、
この電気開閉器（１，１'）が、
ハウジング（２）と、
このハウジング（２）内に収納された
電流回路を遮断するためのスイッチユニット（２０）、
スイッチユニット（２０）に負荷電流を導入するための供給側接続部（１３）であって、電流母線バー（１６）の接触のための第１の連結用接触子（１５）を含む供給側接続部（１３）、
負荷電流回路（１８ｂ）の給電線（１８ｃ）とスイッチユニット（２０）との接触のための負荷側接続部（１８）、
負荷電流回路（１８ｂ）の帰線（３６ａ）の接触のための接続端子（３７）と、接続端子（３７）にハウジング内で接続されていて第２の電流母線バー（４０）の接触のために用いられる第２の連結用接触子（３８）とを含む帰路側接続部（３６）
とを備えている電気開閉器。
【請求項２】
連結用接触子（１５，３８）の少なくとも１つが、付設のハウジングスリット（１７，３９）内に配置されていて、
ハウジングスリット（１７，３９）が、列方向（９）においてハウジング（２）を完全に貫通していることを特徴とする請求項１記載の開閉器（１，１’）。
【請求項３】
連結用接触子（１５，３８）の少なくとも１つが、ハウジング前面（６）に配置されていることを特徴とする請求項１又は２記載の開閉器（１，１’）。
【請求項４】
負荷側接続部（１８）および帰路側接続部（３６）が、共通なハウジング面（１２）に配置されていることを特徴とする請求項１乃至３の１つに記載の開閉器（１，１’）。
【請求項５】
供給側接続部（１３）が、ハウジング上面（１１）に配置され、
帰路側接続部（３６）ならびに負荷側接続部（１８）が、ハウジング上面（１１）とは反対側のハウジング下面（１２）に配置されていることを特徴とする請求項４記載の開閉器（１，１’）。
【請求項６】
供給側接続部（１３）が、第１の連結用接触子（１５）に並列に接続された導線接続用の接続端子（１４）を有することを特徴とする請求項１乃至５の１つに記載の開閉器（１，１’）。
【請求項７】
各ハウジングスリット（１７，３９）が、付設の連結用接触子（１５，３８）を指に対して安全に収納するように寸法設計されていることを特徴とする請求項２乃至６の１つに記載の開閉器（１，１’）。
【請求項８】
スイッチユニット（２０）の開閉状態に特有の開閉信号を取り出すことができる少なくとも１つの信号用接続部（２６，２７）を有することを特徴とする請求項１乃至７の１つに記載の開閉器（１，１’）。
【請求項９】
信号用接続部（２６，２７）が、信号電流バー（３５，３５’）の接続のために連結用接触子（３１，３２）を有することを特徴とする請求項８記載の開閉器（１，１’）。
【請求項１０】
信号用接続部（２６，２７）の信号電流バー（３５，３５’）が、ハウジング（２）を列方向（９）に完全に貫通するハウジングスリット（３３，３４）内に配置されていることを特徴とする請求項９記載の開閉器（１，１’）。
【請求項１１】
信号用接続部（２６，２７）の信号電流バー（３５，３５’）が、ハウジング正面（６）に配置されていることを特徴とする請求項９又は１０記載の開閉器（１，１’）。
【請求項１２】
ハウジング（２）が、ハウジング前面（６）に境を接するハウジング頭部（３）とハウジング背面（５）に境を接していてハウジング頭部（３）に対して張り出しているハウジング基部（４）とを備えた階段状輪郭を有し、
供給側接続部（１３）および帰路側接続部（３６）が、ハウジング基部（４）内に配置されていて、
負荷側接続部（１８）が、ハウジング頭部（３）に配置されていることを特徴とする請求項１乃至１１の１つに記載の開閉器（１，１’）。
【請求項１３】
請求項１乃至１２の１つに記載の少なくとも２つの開閉器（１，１’）が、列方向（９）に列状に並べられている配電システムであって、
供給側接続部（１３）の連結用接触子（１５）が、第１の電流母線バー（１６）により短絡されていて、
帰路側接続部（３６）の連結用接触子（３８）が、第２の電流母線バー（４０）により短絡されていて、
これらの開閉器（１，１’）のそれぞれの負荷側接続部（１８）に、それぞれ当該開閉器（１，１’）に対応する負荷電流回路（１８ｂ）の給電線（１８ｃ）が接続されていて、
当該開閉器（１，１’）の帰路側接続部（３６）の接続端子（３７）に、それぞれ対応する負荷電流回路（１８ｂ）の帰線（３６ａ）が接続されている配電システム。
【発明の詳細な説明】
【技術分野】
【０００１】
本発明は、電気開閉器、特に列状組込式機器の形の電気開閉器に関する。
【背景技術】
【０００２】
例えば遮断器や、機械式、電子式または機械電子式スイッチや、あるいは継電器のような電気開閉器は、一般に、電源側の、したがって電流を導入する給電線を接続することができる供給側接続部と、負荷側に分岐する給電線を接続することができる負荷側接続部とを有する。
【０００３】
以下において、配電システムとは、共通な主給電線から電流を導入されていてかつ共通な電流帰路に接続されている多数の電気的な負荷（電流）回路を有する電気設備のことを言う。このような配電システムにおいては、開閉器が一般に、特に分岐点に設けられていて、分岐点おいて主給電線から負荷電流回路が分岐する。この場合に開閉器は、付設の負荷電流回路を、必要な場合、電流を導入する主給電線から電気的に切り離すために用いられる。多数の並列の負荷電流回路の接続を簡単化するために、列状組込式機器として使用されている複数の開閉器の場合には、供給側接続部が連結接続部を有することがあり、この連結接続部が多数の開閉器に一括給電する電流母線バーに接触可能である。負荷電流回路からの電流帰路は、このような設備の場合には一般に開閉器とは別に、別個の回路要素によりもたらされる。確かに開閉器にはしばしば、開閉器の開閉状態に関する情報を取り出すことができる付加的な信号用接続部が設けられているが、しかしこれらの信号用接続部は常に低出力の電流に対して設計されていて、負荷電流回路からの電流帰路用に定められてもいないし、適してもいない。
【発明の概要】
【発明が解決しようとする課題】
【０００４】
本発明の課題は、電気設備、特に配電システムの合理的かつ簡単な構成を可能にする電気開閉器を提供することにある。
【課題を解決するための手段】
【０００５】
この課題は、本発明によれば、請求項１の特徴によって解決される。それによれば、開閉器が共通なハウジング内にスイッチングユニット、供給側接続部、負荷側接続部ならびに帰路側接続部を含む。
【０００６】
スイッチユニットは、選択的に機械式、電子式または機械電子式のスイッチとして構成されるが、好ましくは遮断器として構成され、一般に供給側接続部と負荷側接続部との間の導電接続の遮断のために用いられる。供給側接続部は、スイッチユニットに電流を導入するために用いられる。配電システム内において、供給側接続部は電流を導入するための主給電線に開閉器を接続するために用いられる。供給側接続部は、このために第１の（電流を導入する）電流母線バーに接触するように構成されている第１の連結用接触子を含む。負荷側接続部は、電気負荷回路の給電線に接続されるために設けられている。
【０００７】
本発明にしたがって付加的に設けられた帰路側接続部は、電流を導入する主給電線に負荷電流回路から負荷電流を導くために用いられる。帰路側接続部は、一方では負荷電流回路の（負荷電流を導く）帰線に接続可能である接続端子を含む。帰路側接続部は、更に第２の連結用接触子を含み、この第２の連結用接触子は第２の（電流帰路を形成するための）電流母線バーに接触するように構成されている。帰路側接続部の接続端子および連結用接触子はハウジング内で短絡されている。電気機械式遮断器の場合には、帰路側接続部が開閉器の全ての他の電気的機能部分および導体に対して電気的に絶縁されていることが好ましい。これに対して、開閉器が電子式遮断器として実施されている場合には、帰路側接続部が開閉器の電子機能部分のためのアース接続部としても用いられることが好ましい。
【０００８】
開閉器内への帰路側接続部の組込みは、列状に並べられた多数の開閉器からなる配電システムを特に簡単なやり方で構成することを可能にし、配電システムの実現のためには開閉器自体の外側に原則的に連結用接触子に対応する電流母線バーだけが必要とされ、この場合に電流母線バーは電流を導入もしくは導出する主給電線として作用する。電気設備、特に配電システムは、このやり方で非常に少ない回路技術的構成要素により、特に一方では合理的に他方では僅かな取り付けコストと僅かなスペース費用にて実現可能である。しかし、それにもかかわらず、個々の開閉器は従来の個別配線の枠内でも使用可能である。したがって、この開閉器は、電気設備の枠内において非常にフレキシブルに使用可能である。
【０００９】
この開閉器は、特にいわゆる列状組込式機器として構成されている。ハウジングは、その点に関して、支持レール上にこの開閉器を装着するために、背面にみぞを刻んだ収容部（係止みぞ）を有する。この背面と反対側のハウジング面は、（ハウジング）正面と呼ばれ、開閉器の予定された組込状態においては操作者に向けられている。収容部（およびこれに対応する支持レール）の輪郭方向は列方向を定め、この列方向に沿って多数の開閉器を装着状態において規定どおりに列状に並べることができる。この列方向に対して垂直なハウジング面は、（ハウジング）端面と呼ばれている。残りのハウジング面は開閉器の規定どおりの組込状態に応じて（ハウジング）上面もしくは（ハウジング）下面と呼ばれている。
【００１０】
開閉器の有利な構成においては、連結用接触子の少なくとも１つが、しかし好ましくは各連結用接触子が、それぞれ付設のハウジングスリット内に配置されていて、このハウジングスリットが列方向においてハウジングを完全に貫通している。多数の開閉器が列状に並べられる場合には、そのハウジングスリットまたは各ハウジングスリットが他の開閉器の関連したハウジングスリットと共に一直線に並んでいる。このことが、輪郭部材として形成され、一直線に並んだハウジングスリット内に押し込められる電流母線バーのはめ込みを可能にし、したがってハウジングによって接触に対して安全に覆われている。
【００１１】
好ましくは少なくとも１つの連結用接触子、特に各連結用接触子が、そして場合によってはそれに対応したハウジングスリットが、ハウジング正面に配置されていることによって、特に、制御盤内の窮屈なスペース状態においても電流母線バーの特に簡単な取り付けが可能となる。更に、ハウジング正面への連結用接触子の配置によって、開閉器が制御盤内に組み込まれた際にもなおも、電流母線バーを目で見ることができ、このことが開閉器を装備された電気設備の視認性を向上させる。
【００１２】
同様に特別に簡単なかつ視認性のよい開閉器配線という意味において、負荷側接続部および帰路側接続部が共通なハウジング面、特にハウジング下面に配置され、これにより開閉器に割り当てられた負荷電流回路の両給電線が同じハウジング面において開閉器と接触するようにされるとよい。これに対して、供給側接続部は、この着想の有利な発展形態において、このハウジング面と反対側のハウジング面、特にハウジング上面に配置されている。このやり方で、電流を導入する主給電線と負荷電流回路とが特に明白に空間的に分離される。
【００１３】
望ましい構成形態では、給電用端子は、連結用接触子に付加して、これに並列に接続された導線接続用の接続端子を含む。この場合に導線とは、硬い電流母線バーと違って、フレキシブルな線材ないしはリッツ線のことを言う。
【００１４】
操作者の安全性向上のために、このハウジングスリットまたは各ハウジングスリットは、付設の連結用接触子を指に対して安全に収納するように寸法が決められている。これは、特にハウジングスリットを安全性の理由から覆わなければならないということなしに、開閉器を個別配線にて、すなわち電流母線バーを使用せずに、使用することを可能にする。この場合に指に対して安全なハウジングスリット構成は、特にハウジングスリットが組込位置において簡単にアクセス可能なハウジング正面に配置されている場合に有利である。
【００１５】
有利な発展形態においては、開閉器が付加的に、スイッチユニットの開閉状態に特有の開閉信号を取り出すことができる少なくとも１つの信号用接続部を含み、したがってその信号に基づいてスイッチユニットの開閉状態を検出することができる。開閉信号として、例えばスイッチユニットを通して流れる電流から供給される（能動的な）電流信号または電圧信号が出力されるとよい。しかし、この場合に開閉信号としては、負荷電流出力を著しく下回る電気出力を有する弱い電流信号もしくは低電圧信号が出力される。もちろん、この開閉信号が、スイッチユニットの開閉状態に連動した開閉器の（受動的な）開閉状態によって与えられてもよい。この場合には、信号スイッチに接続された２つの信号用接続部が設けられていることが望ましい。開閉器の適切な構成においては、信号用接続部もしくは信号用接続部のうちの少なくとも１つが、同様に信号電流バーの接続のための連結用接触子を含む。この連結用接触子は、同様に付設のハウジングスリット内に配置されていて、このハウジングスリットが列方向においてハウジングを完全に貫通していることが好ましい。このハウジングスリットも、好ましくは指に対して安全に構成されていて、特に負荷電流回路における誤った電流フラッシュオーバの発生時に使用者負傷の危険性を排除するように構成されている。操作のし易さの改善のためにハウジングスリットの連結用接触子または各連結用接触子も、そして場合によっては付設のハウジングスリットも、ハウジング正面に配置されている。信号用接続部は、供給側接続部、負荷側接続部および帰路側接続部と違って、人体にとって危険のない低出力の電流に対して設計されている。
【００１６】
列状組込式機器にとって典型的な構造形態と一致して、ハウジングは、比較的幅の狭いハウジング頭部およびこれに対して延長された（したがってハウジング頭部に対して張り出した）ハウジング基部を含む、階段状輪郭を有することが好ましい。この場合に、ハウジング頭部は正面側のハウジング部分を成すのに対して、ハウジング基部は背面側のハウジング部分を成す。本発明による開閉器の発展形態においては、供給側接続部および帰路側接続部がハウジング基部内に配置されているのに対して、負荷側接続部がハウジング頭部に配置されている。これによって比較的狭いスペースにおいて開閉器の簡単な配線が可能である。特に、このやり方では、取り付け状態において、開閉器の接続部への導線の接続を妨害することなしに、供給側接続部および帰路側接続部に対応する電流母線バーがハウジング基部内に片づけられている。
【図面の簡単な説明】
【００１７】
【図１】図１は供給側接続部、負荷側接続部、帰路側接続部ならびに２つの信号用接続部を有する単一の開閉器を示す斜視図である。
【図２】図２は図１による開閉器の回路技術的構成を示す概略図である。
【図３】図３は図１による４つの列状に並べられた開閉器と他の１つの信号用接続部なしの開閉器とを示す斜視図である。
【図４】図４は供給側接続部および帰路側接続部がそれぞれ電流母線バーによって並列接続されかつ信号用接続部が信号電流バーによって直列に接続されている図１による５つの列状に並べられた開閉器を示す斜視図である。
【図５】図５は供給側接続部および帰路側接続部がそれぞれ電流母線バーによって並列接続されかつ信号用接続部が信号電流バーによって並列に接続されている図１による５つの列状に並べられた開閉器を示す斜視図である。
【発明を実施するための形態】
【００１８】
以下において本発明の実施例を図面に基づいて更に詳細に説明する。
【００１９】
全ての図において互いに対応する部分には常に同じ参照符号が付されている。
【００２０】
図１においてまず外側から見た図で示された開閉器１は、絶縁材料からなるハウジング２を含む。開閉器１は列状組込式機器として構成されていて、このような機器にとって典型的な階段状にされたハウジングを有する。このハウジングは、ハウジング頭部３と、これに対して両側に張り出したハウジング基部４を有する。ハウジング基部４は、ハウジング背面５に境を接するハウジング部分を成し、ハウジング頭部３はハウジング正面６に境を接するハウジング部分を成す。
【００２１】
開閉器１は定められた組込状態に適するように設計されている。この組込状態において、ハウジング２はハウジング背面５を制御盤のリアパネルの方へ向けられているのに対して、ハウジング正面６は組込位置において制御盤を見た場合に操作者へ向けられている。取り付けのために、開閉器１がハウジング背面５に係止みぞ７を有し、係止みぞ７により開閉器１が（点線で図示されている）支持レール８上にスナップ式に装着可能である。
【００２２】
支持レール８の輪郭軸およびこれに対応する係止みぞ７は列方向９を定める。この列方向９に沿って、多数の開閉器１が、図３乃至図５に示されているように、スナップ式装着によって支持レール８上に互いに一直線に並べられ得る。
【００２３】
ハウジング２における列方向９に対して垂直方向の側面はハウジング端面１０と呼ばれる。ハウジング端面１０、ハウジング正面６および背面５に対して垂直なハウジング側面は、開閉器１の規定どおりの組込状態に応じて、ハウジング上面１１もしくはハウジング下面１２と呼ばれる。
【００２４】
電流供給のために開閉器１は供給側接続部１３を含み、供給側接続部１３はハウジング上面１１の領域に配置されている。供給側接続部１３はネジ留め端子として構成された接続端子１４を含み、接続端子１４には電流導入のための可撓より線またはリッツ線が電流導入のために接続可能である。供給側接続部１３は、更に、接続端子１４に並列接続された連結用接触子１５を含み、連結用接触子１５には電流母線バー１６（図４および図５）が接触させられ得る。連結用接触子１５はハウジングスリット１７内に配置されていて、ハウジングスリット１７はハウジング正面に通じていて、列方向９においては全ハウジング幅にわたって延びていて、したがってハウジング端面１０に向けても開いている。ハウジングスリット１７は、電流母線バー１６がぴったり合うように押し込み可能であるように寸法設計されている。
【００２５】
開閉器１は更に負荷側接続部１８を有し、負荷側接続部１８には負荷１８ａ（図２、図４）を含む負荷電流回路（もしくは消費側電流回路）１８ｂ（図２、図４）が付設される給電線１８ｃにより接続可能である。負荷出力部１８は給電線１８ｃの接続のためにハウジング下面１２からアクセス可能な接続端子１９を含み、接続端子１９は同様にネジ留め端子として構成されている。
【００２６】
ハウジング２の内部において、供給側接続部１３および負荷側接続部１８が（図２に詳細に示された）スイッチユニット２０を介して互いに接続されている。図示の実施例においてスイッチユニット２０は、遮断器機能を持ち、したがって供給側接続部１３と負荷側接続部１８との間に形成される電流路を過電流時に切り離すように構成されている。スイッチユニット２０は、このために開閉接点２１ならびに過電流トリップ装置２２を含む。開閉接点２１が、過電流トリップ装置２２にラッチング機構の形の開閉機構２３を介して連結されていて、したがって過電流時に過電流トリップ装置２２が開閉機構２３を介して開閉接点２１を開く。過電流トリップ装置２２は、とりわけ従来技術にしたがって磁気的、熱的および／または空気圧的な動作原理に基づく。
【００２７】
開閉機構２３は、他方では、ここではスライドレバーまたはトグルレバーの形での手動操作要素２４に連結されている。手動操作要素２４はハウジング前面６において外側からアクセス可能であり、開閉機構２３を介して開閉接点２１を手動で可逆に開閉することを可能にする。
【００２８】
付属の開閉接点２１、過電流トリップ装置２２、開閉機構２３および手動操作要素２４を備えたスイッチユニット２０は、電子スイッチ要素によって置き換えることもできる。更に開閉器１に信号電流回路２５が組み込まれている。信号電流回路２５は、２つの信号用接触子２６および２７ならびにこれらの間に挿入接続された信号スイッチ２８を含む。信号用接触子２６および２７のそれぞれは、ここではネジ留め端子の形での接続端子２９もしくは３０と、それぞれ並列接続された連結用接触子３１もしくは３２とを含む。接続端子２９および３０は、ここでは導線の接続のためにハウジング上面１１からアクセス可能である（したがって、図１による表示においては、これらの接続端子２９および３０のうち、端子ネジの収納部だけが見える）。連結用接触子３１および３２は、（それぞれ１つの連結用接触子３１，３２に付設された）ハウジングスリット３３，３４内に配置されていて、各ハウジングスリット３３，３４は、同様に列方向９において全ハウジング幅にわたって延びている。ハウジングスリット３３および３４のそれぞれは、（図４および図５に示されているように）信号電流バー３５，３５’を受け入れるために役立つ。
【００２９】
開閉器１は、上述の接続部１３，１８，２６，２７に加えて、負荷電流回路１８ｂの帰線３６ａ（図２、図４）を接続するために用いられる帰路側接続部３６を含む。帰路側接続部３６は、このために同様にネジ留め端子として構成されている接続端子３７を含み、接続端子３７はハウジング下面１２からアクセス可能である。更に、帰路側接続部３６は、ハウジング内部で接続端子３７に接続されている連結用接触子３８を含む。連結用接触子３８は、ハウジング下面１２の近くにあるハウジングスリット３９内に配置されている。ハウジングスリット３９は、同様に列方向９において全ハウジング幅にわたって延びていて、連結用接触子３８に対応する電流母線バー４０（図４および図５）を受け入れるためにハウジング前面６に向けて開いている。
【００３０】
以上のとおり、図１から分かるように、供給側接続部１３および帰路側接続部３６がハウジング基部４に配置され、負荷側接続部１８ならびに信号用接続部２６および２７がハウジング頭部３に配置されていて、このことが開閉器１の明快かつ使いやすい配線を可能にする。
【００３１】
図３は、多数の互いに列状に並べられた上述のタイプの開閉器１とこれに対して単純化された開閉器１’とを示す。単純化された開閉器１’では、信号電流回路２５が省略され、これに応じて付属の信号用接続部２６および２７が省略されている。部分的に変更された開閉器１’は、特に、配電システムにおいて一連の開閉器１に電気接続するための（比較的低価格の）接続モジュールとして使用可能である。
【００３２】
このような配電システムにおいて、図４および図５に示されているように、開閉器１（もしくは１’）の一直線状に並んだハウジングスリット１７内に電流母線バー１６が押し込まれることによって、互いに列状に連ねられた開閉器１（もしくは１'）の供給側接続部１３が並列に接続され、したがって連結用接触子１５と接触させられる。この場合に電流母線バー１６の長さは、電流母線バー１６が配電システム内に組み込まれるべき全ての開閉器１（もしくは１’）の全幅にわたって延在するように選定されている。この場合には、それにより並列に接続される開閉器１（もしくは１’）の外部電源への接続は、任意の１つの開閉器１（もしくは１’）の接続端子１４を介する通常の配線によって行なわれる。
【００３３】
同様に、互いに列状に並べられた開閉器１（もしくは１’）の帰路側接続部３６が、ハウジングスリット３９への電流母線バー４０の押し込みによって互いに並列に接続され、電流母線バー４０または接続端子３７が帰路電位、特にアースに接続される。配電システムにおいて、各開閉器１（もしくは１’）に、好ましくは１つの負荷電流回路１８ｂが割り当てられる。図４においては、負荷電流回路１８ｂの接続が模範的に開閉器１の１つについて示されている。オプションとして、既述のように、他の１つの開閉器１（もしくは１’）が設けられていて、この開閉器は電流母線バー１６および４０と外部電源もしくはアースへの電気接続のためにだけ使用されていて、したがってこの開閉器には専用の負荷電流回路が割り当てられていない。個々の負荷電流回路１８ｂは、それぞれ割り当てられた開閉器１（もしくは１’）に次によって接続される。すなわち、それぞれの負荷電流回路１８ｂの給電線１８ｃが開閉器１（もしくは１’）の負荷側接続部１８に接続され、かつ負荷電流回路１８ｂの帰線３６ａが開閉器１（もしくは１’）の接続端子３７に接続されることによって接続される。
【００３４】
信号用接続部２６もしくは２７の連結用接触子３１および３２と信号電流バーとの種々の接続によって、列状に並べられた開閉器１の信号電流回路２５が互いに異なるやり方で相互に接続される。図４はこれに関連して５つの開閉器１からなる配電システムの構成を示し、この配電システムにおいては開閉器１の信号電流回路２５が互いに直列接続にて配線されている。図５は配電システムの別の構成を示し、この電流分配システムでは信号電流回路２５が並列接続されている。このほかに、信号電流回路２５の並列接続および直列接続の任意の組み合わせが可能である。更に、１つまたは複数の信号電流回路２５を接続端子２９および３０を介して個別配線することも可能である。
【符号の説明】
【００３５】
１，１’      開閉器
２            ハウジング
３            ハウジング頭部
４            ハウジング基部
５            ハウジング背面
６            ハウジング正面
７            係止みぞ
８            支持レール
９            列方向
１０          ハウジング端面
１１          ハウジング上面
１２          ハウジング下面
１３          供給側接続部
１４          接続端子
１５          連結用接触子
１６          電流母線バー
１７          ハウジングスリット
１８          負荷側接続部
１８ａ        負荷
１８ｂ        負荷電流回路
１８ｃ        給電線
１９          接続端子
２０          スイッチユニット
２１          開閉接点
２２          過電流トリップ装置
２３          開閉機構
２４          手動操作要素
２５          信号電流回路
２６          信号用接続部
２７          信号用接続部
２８          信号スイッチ
２９          接続端子
３０          接続端子
３１          連結用接触子
３２          連結用接触子
３３          ハウジングスリット
３４          ハウジングスリット
３５，３５’  信号電流バー
３６          帰路側接続部
３６ａ        帰線
３７          接続端子
３８          連結用接触子
３９          ハウジングスリット
４０          電流母線バー
【図１】
2010530117.tif 000003
【図２】
2010530117.tif 000004
【図３】
2010530117.tif 000005
【図４】
2010530117.tif 000006
【図５】
2010530117.tif 000007
【国際調査報告】
2010530117.tif 000008
2010530117.tif 000009
2010530117.tif 000010
2010530117.tif 000011